【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
データを記憶する記憶手段と、
前記記憶手段に電力を供給する供給手段と、
第１の種類のジョブおよび前記第１の種類のジョブとは異なる第２の種類のジョブを受け付ける受付手段と、
前記受付手段により受け付けられたジョブが第１の種類のジョブである場合に、待機時間として第１の時間を設定し、前記受付手段により受け付けられたジョブが前記第２の種類のジョブである場合に、前記待機時間として前記第１の時間より短い第２の時間を設定する設定手段と、
前記受付手段によりジョブが受け付けられた後、前記設定手段により設定された前記待機時間が経過した場合に、前記供給手段から前記記憶手段に供給される電力を停止する第１の制御手段と、を有することを特徴とする情報処理装置。
【請求項２】
前記記憶手段は、ハードディスクドライブである、ことを特徴とする請求項１に記載の情報処理装置。
【請求項３】
前記待機時間は、前記ハードディスクドライブへの電力の供給を停止するまでの時間である、ことを特徴とする請求項２に記載の情報処理装置。
【請求項４】
前記受付手段により第１の種類のジョブが受け付けられたとき、前記記憶手段に電力が供給されていない場合には、前記設定手段は、前記第１の時間を設定し、前記記憶手段に電力が供給されている場合には、前記設定手段は、前記第１の時間を設定しない、ことを特徴とする請求項１乃至３のいずれか１項に記載の情報処理装置。
【請求項５】
前記受付手段は、ネットワークを介して外部装置から送信されるジョブを受け付けるネットワークインターフェース手段を含み、
前記第１の種類のジョブは、ネットワークを介して前記ネットワークインターフェース手段によって受け付けられたジョブである、ことを特徴とする請求項１乃至４のいずれか１項に記載の情報処理装置。
【請求項６】
前記第１の種類のジョブは、前記記憶手段に記憶されたデータを問い合わせる問い合わせジョブであることを特徴とする請求項１乃至５のいずれか１項に記載の情報処理装置。
【請求項７】
前記問い合わせジョブは、前記記憶手段に記憶された前記情報処理装置の機器情報を問い合わせるジョブであることを特徴とする請求項６に記載の情報処理装置。
【請求項８】
前記受付手段は、ユーザの操作を受け付ける操作手段を含み、
前記第２の種類のジョブは、前記操作手段を用いて実行が開始されるジョブである、ことを特徴とする請求項１乃至７のいずれか１項に記載の情報処理装置。
【請求項９】
シートに画像を印刷する印刷手段を更に有し、
前記第２の種類のジョブは、前記印刷手段を用いてシートに画像を印刷する印刷ジョブであることを特徴とする請求項１乃至８のいずれか１項に記載の情報処理装置。
【請求項１０】
前記受付手段によりジョブが受け付けられたことに応じて、前記供給手段から前記記憶手段に電力を供給する第２の制御手段を更に有し、
前記設定手段は、前記受付手段により受け付けられたジョブが前記第２の種類のジョブである場合において、前記受付手段によりジョブが受け付けられた際に前記第２の制御手段に対して電力が供給されている場合に、前記待機時間として前記第２の時間を設定することを特徴とする請求項１乃至９のいずれか１項に記載の情報処理装置。
【請求項１１】
前記第２の制御手段は、前記第１の種類のジョブ及び前記第２の種類のジョブを実行し、
前記設定手段は、前記受付手段により受け付けられたジョブが前記第２の種類のジョブである場合であって、前記受付手段によりジョブが受け付けられた際に前記第２の制御手段に対して電力が供給され且つ前記第２の制御手段が前記第１の種類のジョブを実行中である場合に、前記第２の時間を設定することを特徴とする請求項１０に記載の情報処理装置。
【請求項１２】
データを記憶する記憶手段と、前記記憶手段に対して電力を供給する供給手段とを有する情報処理装置の制御方法であって、
ジョブを受け付ける受付工程と、
前記受付工程により受け付けられたジョブが第１の種類のジョブである場合に、待機時間として第１の時間を設定し、前記受付工程により受け付けられたジョブが前記第１の種類のジョブとは異なる第２の種類のジョブである場合に、前記待機時間として前記第１の時間より短い第２の時間を設定する設定工程と、
前記受付工程によりジョブが受け付けられた後前記設定工程により設定された前記待機時間が経過した場合に、前記供給手段から前記記憶手段に供給される電力を停止する制御工程と、を有することを特徴とする制御方法。
【請求項１３】
データを記憶する記憶手段と、前記記憶手段に対して電力を供給する供給手段と、ジョブを受け付ける受付手段と、を有する情報処理装置に、
前記受付手段により受け付けられたジョブが第１の種類のジョブである場合に、前記第１の時間を設定し、前記受付手段により受け付けられたジョブが前記第１の種類のジョブとは異なる第２の種類のジョブである場合に、前記第１の時間より短い第２の時間を設定する設定工程と、
前記受付手段によりジョブが受け付けられた後、前記設定工程で設定された前記待機時間が経過した場合に、前記供給手段から前記記憶手段に供給される電力を停止する制御工程と、を実行させるためのプログラム。
【請求項１４】
前記設定工程では、前記受付手段により第１の種類のジョブが受け付けられたとき、前記記憶手段に電力が供給されていない場合には、前記第１の時間を設定し、前記記憶手段に電力が供給されている場合には、前記設定手段は、前記第１の時間を設定しない、ことを特徴とする請求項１３に記載のプログラム。
【請求項１５】
前記受付手段によりジョブが受け付けられたことに応じて、前記供給手段から前記記憶手段に電力を供給する第２の制御工程をさらに有し、
前記設定工程では、前記受付手段により受け付けられたジョブが前記第２の種類のジョブである場合であって、前記受付手段によりジョブが受け付けられた際に前記第２の制御手段に対して電力が供給されている場合に、前記待機時間として前記第２の時間を設定する、ことを特徴とする請求項１２又は１３に記載のプログラム。
【請求項１６】
前記設定工程では、前記受付手段により受け付けられたジョブが前記第２の種類のジョブである場合であって、前記受付手段によりジョブが受け付けられた際に前記第２の制御手段に対して電力が供給され且つ前記第２の制御手段が前記第１の種類のジョブを実行中である場合に、前記第２の時間を設定する、ことを特徴とする請求項１５に記載のプログラム。
【手続補正２】
【補正対象書類名】明細書
【補正対象項目名】００１１
【補正方法】変更
【補正の内容】
【００１１】
本発明は、データを記憶する記憶手段と、前記記憶手段に電力を供給する供給手段と、第１の種類のジョブおよび前記第１の種類のジョブとは異なる第２の種類のジョブを受け付ける受付手段と、前記受付手段により受け付けられたジョブが第１の種類のジョブである場合に、待機時間として第１の時間を設定し、前記受付手段により受け付けられたジョブが前記第２の種類のジョブである場合に、前記待機時間として前記第１の時間より短い第２の時間を設定する設定手段と、前記受付手段によりジョブが受け付けられた後、前記設定手段により設定された前記待機時間が経過した場合に、前記供給手段から前記記憶手段に供給される電力を停止する第１の制御手段と、を有することを特徴とする。